(57)【要約】【課題】扉表面の意匠性を高めながら、夏場の多湿条件下でも扉表面が発汗しない冷蔵庫の扉を提供することを目的とする。【解決手段】前面に透明層５ａと奥面に着色層５ｂと裏面に良熱伝導部材であるアルミフィルム５ｃとを有する着色外板５と、前記着色外板５に対向して設けた内板１と、前記着色外板５と内板１の周囲に設けた枠体４と、前記着色外板５・枠体４・内板１間に発泡充填された断熱材２からなるものであり、前面の透明層５ａを通して入射し着色層５ｂで反射した光を視認することで、扉の表面の透明感、光沢、深みを得ることができ意匠性を高めることができるとともに、着色外板５の熱伝導部材が扉周囲の熱を外板表面に効率よく伝え、夏場の多湿条件下でも扉体の表面の発汗を防止できる。【選択図】  図１
2005016769.tif 000002
【特許請求の範囲】
【請求項１】
前面に透明層と奥面に着色層と裏面に良熱伝導部材とを有する着色外板と、前記着色外板に対向して設けた内板と、前記着色外板と内板の周囲に設けた枠体と、前記着色外板・枠体・内板間に発泡充填された断熱材からなる冷蔵庫の扉体。
【請求項２】
着色外板の裏面に有する良熱伝導部材は、鉄板から構成されたことを特徴とする請求項１記載の冷蔵庫の扉体。
【請求項３】
着色外板の裏面に有する良熱伝導部材は、アルミ板から構成されたことを特徴とする請求項１記載の冷蔵庫の扉体。
【請求項４】
着色外板の裏面に有する良熱伝導部材は、アルミ塗装層から構成されたことを特徴とする請求項１記載の冷蔵庫の扉体。
【請求項５】
外板の裏面に設ける良熱伝導部材は前記外板の全面に配置することを特徴とする請求項１から請求項４のいずれか一項に記載の冷蔵庫の扉体。
【発明の詳細な説明】
【０００１】
【発明の属する技術分野】
本発明は、表面に透明層を有する冷蔵庫の扉体の発汗性能を向上する技術に関するものである。
【０００２】
【従来の技術】
近年、冷蔵庫の扉体は、扉表面の意匠性を高めるため前面に透明層と裏面に着色層を有したものがある。そして、内容積の向上や設置場所の省スペ−ス化の関係から断熱材の厚みが薄くなる傾向になる（例えば、特許文献１参照。）。
【０００３】
以下、図面を参照しながら上記従来の冷蔵庫の扉体について説明する。
【０００４】
図５は、従来の冷蔵庫の扉体の断面図である。図において、扉体Ａは、前面に透明層３ａと裏面に着色層３ｂを有する着色樹脂板３と、着色樹脂板３に対向して配置された内板１と、着色樹脂板３の全周に挿入する枠体４と、着色樹脂板３と内板１と枠体４で出来る空間内に発泡充填された断熱材２とで構成する。
【０００５】
【特許文献１】
特開平５−２８８４５８号公報
【０００６】
【発明が解決しようとする課題】
しかしながら上記従来の構成では、断熱材１の厚みが十分取れない部位において冷蔵庫内から冷却されることにより、着色樹脂板３の表面温度が低下し、夏場の多湿条件下では着色樹脂板３の表面が発汗してしまうという欠点があった。
【０００７】
本発明は上記従来の課題を解決するもので、扉表面の意匠性を高めながら、夏場の多湿条件下でも扉表面が発汗しない冷蔵庫の扉を提供することを目的とする。
【０００８】
【課題を解決するための手段】
本発明の請求項１に記載の発明は、前面に透明層と奥面に着色層と裏面に良熱伝導部材とを有する着色外板と、前記着色外板に対向して設けた内板と、前記着色外板と内板の周囲に設けた枠体と、前記着色外板・枠体・内板間に発泡充填された断熱材からなるものであり、前面の透明層を通して入射し着色層で反射した光を視認することで、扉の表面の透明感、光沢、深みを得ることができ意匠性を高めることができるとともに、着色外板の熱伝導部材が扉周囲の熱を外板表面に効率よく伝え、夏場の多湿条件下でも扉体の表面の発汗を防止できる。
【０００９】
請求項２に記載の発明は、請求項１に記載の発明において、着色外板の裏面に有する良熱伝導部材は、鉄板から構成されたものであり、扉表面の意匠性を高めた上で、扉体の剛性を向上させ、扉体の変形防止をしながら夏場の多湿条件下でも着色樹脂板の表面が発汗することを防ぐことができる。
【００１０】
請求項３に記載の発明は、請求項１に記載の発明において、着色外板の裏面に有する良熱伝導部材は、アルミ板から構成されたものであり、扉表面の意匠性を高めた上で、熱伝導性の優れた材質により効率的に扉表面の温度上昇が可能となる。また、アルミ材は成形性に優れ、容易に外板の形状に合わせることができるので扉の形状に制約されることなく確実に発汗を防止できる。
【００１１】
請求項４に記載の発明は、請求項１に記載の発明において、着色外板の裏面に有する良熱伝導部材は、アルミ塗装層から構成されたものであり、扉表面の意匠性を高めるとともに、熱伝導性の優れたアルミ塗装を用いることで、加工性を高めながら発汗を防止できる。また、扉体の軽量化を図ることができる。
【００１２】
請求項５に記載の発明は、請求項１から請求項４のいずれか一項に記載の発明において、外板の裏面に設ける良熱伝導部材は前記外板の全面に配置するものであり、扉の全面に亘って発汗を防止できる。また、着色層が比較的薄く着色層の裏面側（熱伝導部材配置側）から光が透過するような場合でも、熱伝導部材を全面に配置していることで、扉前面から見た色むらを防止することができる。
【００１３】
【発明の実施の形態】
以下、本発明による冷蔵庫の一実施の形態について、図面を参照しながら説明する。なお、従来と同一構成には、同一符号を付して詳細な説明を省略する。
【００１４】
（実施の形態１）
図１は本発明の実施の形態１による冷蔵庫の扉の概略断面図である。図１に示すように、着色外板５は、前面に樹脂成形した透明層５ａを有し、前記透明層５ａの奥面に着色層５ｂを、たとえば塗装により形成し、着色層５ｂの裏面には良熱伝導部材であるアルミフィルム５ｃを貼り付けて構成している。
【００１５】
また、着色外板５のアルミフィルム５ｃは、着色層５ｂの裏面に全面に亘って配置している。
【００１６】
そして、着色外板５と、着色外板５に対向して設けた内板１と、前記着色外板５と内板１の周囲に設けた枠体４とで囲まれた空間に充填発泡した断熱材２とで扉体Ｂを構成している。
【００１７】
以上のように構成された本実施の形態の冷蔵庫の扉体について、以下その作用を説明する。
【００１８】
扉体Ｂを前方から見たとき、前面の透明層５ａを通して光が入射し、着色層５ｂで反射した光を使用者が視認することで、扉の表面の透明感、光沢、深みを得ることができ、意匠性に優れたものとなる。そして、扉体Ｂが構造上の制約から断熱材２の厚みが十分取れない部位がある場合でも、着色外板５の裏面に設けた良熱伝導部材であるアルミフィルム５ｃの伝熱作用により、扉周囲の熱を外板５の表面に効率よく伝え、夏場の多湿条件下でも扉体の表面の発汗を防止できる。
【００１９】
また、着色外板５のアルミフィルム５ｃは、着色層５ｂの裏面に全面に亘って配置しているので、扉の全面に亘って発汗防止の効果を高めることができる。さらに、着色層５ｂが比較的薄く着色層５ｂの裏面側（熱伝導部材５ｃ配置側）から光が若干透過するような場合でも、熱伝導部材のアルミフィルム５ｃを全面に配置していることで、扉体Ｂを前面から見た時に、アルミフィルム５ｃの有無による色むらの発生を防止することができる。
【００２０】
なお、着色外板５は平板状に構成してもよいが、左右両側面を湾曲させて断面Ｕ字状に成形し、上下面に枠体４を設けたもので構成してもよい。この場合、扉体左右側面部まで透明層５ａおよび着色層５ｂ、アルミフィルム５ｃを一体に構成することで、側面部の意匠性をさらに高めた上で、発汗を防止できる。特に側面と前面を一体に形成することで、アルミフィルム５ｃの側面からの伝熱作用による扉体Ｂの表面温度上昇効果も一層高まる。
【００２１】
（実施の形態２）
図２は本発明の実施の形態２による冷蔵庫の概略断面図である。なお、実施の形態１と同一構成については詳細な説明を省略し、異なる部分についてのみ説明する。
【００２２】
図２に示すように、着色外板６は、前面に樹脂成形した透明層６ａを有し、前記透明層６ａの奥面に着色層６ｂを、たとえば塗装により形成し、着色層６ｂの裏面には良熱伝導部材である鉄板６ｃを貼り付けて構成している。
【００２３】
そして、着色外板６と、着色外板６に対向して設けた内板１と、前記着色外板６と内板１の周囲に設けた枠体４とで囲まれた空間に充填発泡した断熱材２とで扉体Ｃを構成している。
【００２４】
上記構成により、扉体Ｃを前方から見たとき、前面の透明層６ａを通して光が入射し、着色層６ｂで反射した光を使用者が視認することで、扉の表面の透明感、光沢、深みを得ることができ、意匠性に優れたものとなる。そして、扉体Ｃが構造上の制約から断熱材２の厚みが十分取れない部位がある場合でも、着色外板６の裏面に設けた良熱伝導部材である鉄板６ｃの伝熱作用により、扉周囲の熱を外板６の表面に効率よく伝え、夏場の多湿条件下でも扉体の表面の発汗を防止できる。
【００２５】
また、着色外板６の裏面に設けた鉄板６ｃにより、扉体の剛性が向上し、扉体の変形を防止できる。
【００２６】
（実施の形態３）
図３は本発明の実施の形態３による冷蔵庫の概略断面図である。なお、実施の形態１と同一構成については詳細な説明を省略し、異なる部分についてのみ説明する。
【００２７】
図３に示すように、着色外板７は、前面に樹脂成形した透明層７ａを有し、前記透明層７ａの奥面に着色層７ｂを、たとえば塗装により形成し、着色層７ｂの裏面には良熱伝導部材であるアルミ板７ｃを貼り付けて構成している。
【００２８】
そして、着色外板７と、着色外板７に対向して設けた内板１と、前記着色外板７と内板１の周囲に設けた枠体４とで囲まれた空間に充填発泡した断熱材２とで扉体Ｄを構成している。
【００２９】
上記構成により、扉体Ｄを前方から見たとき、前面の透明層７ａを通して光が入射し、着色層７ｂで反射した光を使用者が視認することで、扉の表面の透明感、光沢、深みを得ることができ、意匠性に優れたものとなる。そして、扉体Ｄが構造上の制約から断熱材２の厚みが十分取れない部位がある場合でも、着色外板７の裏面に設けた良熱伝導部材であるアルミ板７ｃの伝熱作用により、扉周囲の熱を外板７の表面に効率よく伝え、夏場の多湿条件下でも扉体の表面の発汗を防止できる。
【００３０】
また、アルミ板７ｃは成形性に優れ、容易に外板の形状に合わせることができるので扉の形状に制約されることなく確実に発汗を防止できる。
【００３１】
（実施の形態４）
図４は本発明の実施の形態４による冷蔵庫の概略断面図である。なお、実施の形態１と同一構成については詳細な説明を省略し、異なる部分についてのみ説明する。
【００３２】
図４に示すように、着色外板８は、前面に樹脂成形した透明層８ａを有し、前記透明層８ａの奥面に着色層８ｂを、たとえば塗装により形成し、着色層８ｂの裏面には良熱伝導部材であるアルミ塗装層８ｃを貼り付けて構成している。
【００３３】
そして、着色外板８と、着色外板８に対向して設けた内板１と、前記着色外板８と内板１の周囲に設けた枠体４とで囲まれた空間に充填発泡した断熱材２とで扉体Ｅを構成している。
【００３４】
上記構成により、扉体Ｅを前方から見たとき、前面の透明層８ａを通して光が入射し、着色層８ｂで反射した光を使用者が視認することで、扉の表面の透明感、光沢、深みを得ることができ、意匠性に優れたものとなる。そして、扉体Ｅが構造上の制約から断熱材２の厚みが十分取れない部位がある場合でも、着色外板８の裏面に設けた良熱伝導部材であるアルミ塗装層８ｃの伝熱作用により、扉周囲の熱を外板８の表面に効率よく伝え、夏場の多湿条件下でも扉体の表面の発汗を防止できる。
また、熱伝導性の優れたアルミ塗装層８ｃを用いることで、加工性を高めながら発汗を防止できる。また、扉体Ｅの軽量化を図ることができる。
【００３５】
【発明の効果】
以上説明したように請求項１に記載の発明は、前面に透明層と奥面に着色層と裏面に良熱伝導部材とを有する着色外板と、前記着色外板に対向して設けた内板と、前記着色外板と内板の周囲に設けた枠体と、前記着色外板・枠体・内板間に発泡充填された断熱材からなるものであり、扉の表面の透明感、光沢、深みを得ることができ意匠性を高めることができるとともに、着色外板の熱伝導部材が扉周囲の熱を外板表面に効率よく伝え、夏場の多湿条件下でも扉体の表面の発汗を防止できる。
【００３６】
請求項２に記載の発明は、請求項１に記載の発明において、着色外板の裏面に有する良熱伝導部材は、鉄板から構成されたものであり、扉表面の意匠性を高めた上で、扉体の剛性を向上させ、扉体の変形防止をしながら夏場の多湿条件下でも着色樹脂板の表面が発汗することを防ぐことができる。
【００３７】
請求項３に記載の発明は、請求項１に記載の発明において、着色外板の裏面に有する良熱伝導部材は、アルミ板から構成されたものであり、扉表面の意匠性を高めた上で、熱伝導性の優れた材質により効率的に扉表面の温度上昇が可能となる。また、アルミ材は成形性に優れ、容易に外板の形状に合わせることができるので扉の形状に制約されることなく確実に発汗を防止できる。
【００３８】
請求項４に記載の発明は、請求項１に記載の発明において、着色外板の裏面に有する良熱伝導部材は、アルミ塗装層から構成されたものであり、扉表面の意匠性を高めるとともに、熱伝導性の優れたアルミ塗装を用いることで、加工性を高めながら発汗を防止できる。また、扉体の軽量化を図ることができる。
【００３９】
請求項５に記載の発明は、請求項１から請求項４のいずれか一項に記載の発明において、外板の裏面に設ける良熱伝導部材は前記外板の全面に配置するものであり、扉の全面に亘って発汗を防止できる。また、着色層が比較的薄く着色層の裏面側（熱伝導部材配置側）から光が透過するような場合でも、熱伝導部材を全面に配置していることで、扉前面から見た色むらを防止することができる。
【図面の簡単な説明】
【図１】本発明による冷蔵庫の扉体の実施の形態１の概略断面図
【図２】本発明による冷蔵庫の扉体の実施の形態２の概略断面図
【図３】本発明による冷蔵庫の扉体の実施の形態３の概略断面図
【図４】本発明による冷蔵庫の扉体の実施の形態４の概略断面図
【図５】従来の冷蔵庫の概略断面図
【符号の説明】
１  内板
２  断熱材
４  枠体
５  着色外板
５ａ，６ａ，７ａ，８ａ  透明層
５ｂ，６ｂ，７ｂ，８ｂ  着色層
５ｃ  アルミフィルム
６ｃ  鉄板
７ｃ  アルミ板
８ｃ  アルミ塗装層
Ｂ，Ｃ，Ｄ，Ｅ  扉体
【図１】
2005016769.tif 000003
【図２】
2005016769.tif 000004
【図３】
2005016769.tif 000005
【図４】
2005016769.tif 000006
【図５】
2005016769.tif 000007